(57)【特許請求の範囲】
【請求項１】
共通の受電点を介して電力系統に電気的に接続される複数の蓄電装置の間の電力融通において前記複数の蓄電装置のそれぞれが電力を与えるまたは受ける要求に関する要求情報を取得する取得部と、
前記要求情報に従って、前記複数の蓄電装置を（ｉ）前記電力融通において電力を与える電力融通グループと、（ｉｉ）前記電力融通において電力を受ける被電力融通グループと、（ｉｉｉ）前記共通の受電点を越えて前記電力系統へ流出する逆潮流電力に対応する電力を吸収する逆潮流制御グループとの３つのグループを含む複数のグループに分類する分類部と、
前記複数の蓄電装置のそれぞれについて、当該蓄電装置が前記３つのグループのうちのいずれかに分類された場合に当該蓄電装置が分類されたグループに従って当該蓄電装置を充電または放電させるための情報を出力する制御部とを備える
逆潮流制御システム。
【請求項２】
前記分類部は、前記複数の蓄電装置のそれぞれについて、
前記電力融通において当該蓄電装置が電力を与える要求があることを前記要求情報が示す場合、当該蓄電装置を優先的に前記電力融通グループに分類し、
前記電力融通において当該蓄電装置が電力を受ける要求があることを前記要求情報が示す場合、当該蓄電装置を優先的に前記被電力融通グループに分類し、
当該蓄電装置が前記電力融通において電力を与える要求がないこと、および、前記電力融通において当該蓄電装置が電力を受ける要求がないことを前記要求情報が示す場合、当該蓄電装置を優先的に前記逆潮流制御グループに分類する
請求項１に記載の逆潮流制御システム。
【請求項３】
前記分類部は、さらに、前記複数の蓄電装置のうちの第１蓄電装置と前記共通の受電点との間の電力線の長さが、前記複数の蓄電装置のうちの第２蓄電装置と前記共通の受電点との間の電力線の長さよりも短い場合、前記第１蓄電装置を前記第２蓄電装置よりも優先して前記逆潮流制御グループに分類する
請求項１または２に記載の逆潮流制御システム。
【請求項４】
前記要求情報は、前記電力融通において前記複数の蓄電装置のそれぞれが時間帯毎に電力を与えるまたは受ける要求に関し、
前記分類部は、前記要求情報に従って、時間帯毎に前記複数の蓄電装置を前記複数のグループに分類し、
前記制御部は、時間帯毎に前記複数の蓄電装置のそれぞれについて、当該時間帯に当該蓄電装置が前記３つのグループのうちのいずれかに分類された場合に当該時間帯に当該蓄電装置が分類されたグループに従って当該蓄電装置を充電または放電させるための情報を出力する
請求項１〜３のいずれか１項に記載の逆潮流制御システム。
【請求項５】
前記要求情報は、前記複数の蓄電装置のそれぞれについて、
前記電力融通において当該蓄電装置が電力を与える要求がある場合、前記電力融通において当該蓄電装置が与える電力の要求量、および、前記電力融通において当該蓄電装置が電力を与える要求時間帯を示し、
前記電力融通において当該蓄電装置が電力を受ける要求がある場合、前記電力融通において当該蓄電装置が受ける電力の要求量、および、前記電力融通において当該蓄電装置が電力を受ける要求時間帯を示し、
前記制御部は、
前記複数の蓄電装置のうち前記電力融通グループに分類された１以上の蓄電装置のそれぞれについて、前記電力融通において当該蓄電装置が与える電力の量である融通量、および、前記電力融通において当該蓄電装置が電力を与える時間帯である融通時間帯を前記要求情報に従って決定し、前記融通量および前記融通時間帯を当該蓄電装置へ通知し、
前記複数の蓄電装置のうち前記被電力融通グループに分類された１以上の蓄電装置のそれぞれについて、前記電力融通において当該蓄電装置が受ける電力の量である被融通量、および、前記電力融通において当該蓄電装置が電力を受ける時間帯である被融通時間帯を前記要求情報に従って決定し、前記被融通量および前記被融通時間帯を当該蓄電装置へ通知する
請求項１〜４のいずれか１項に記載の逆潮流制御システム。
【請求項６】
前記制御部は、前記複数の蓄電装置のうち前記逆潮流制御グループに分類された１以上の蓄電装置へ、前記逆潮流電力に対応する電力を吸収する役割を通知する
請求項５に記載の逆潮流制御システム。
【請求項７】
前記制御部は、前記複数の蓄電装置のうち前記逆潮流制御グループに分類された１以上の蓄電装置のそれぞれへ、前記逆潮流電力に対応する電力のうち当該蓄電装置が吸収する電力の量である吸収量を通知する
請求項５に記載の逆潮流制御システム。
【請求項８】
前記制御部は、前記複数の蓄電装置のうち前記逆潮流制御グループに分類された１以上の蓄電装置の充電可能量に従って、前記複数の蓄電装置のうち前記電力融通グループに分類された１以上の蓄電装置が前記電力融通において与える電力の量、および、前記複数の蓄電装置のうち前記被電力融通グループに分類された１以上の蓄電装置が前記電力融通において受ける電力の量を制限する
請求項１〜７のいずれか１項に記載の逆潮流制御システム。
【請求項９】
前記分類部は、前記複数の蓄電装置のうち前記被電力融通グループに分類された１以上の蓄電装置の総容量よりも前記複数の蓄電装置のうち前記電力融通グループに分類された１以上の蓄電装置の総容量が小さくなるように、前記複数の蓄電装置を前記複数のグループに分類する
請求項１〜８のいずれか１項に記載の逆潮流制御システム。
【請求項１０】
前記制御部は、
前記電力融通グループが前記電力融通において電力を与えるように、前記複数の蓄電装置のうち前記電力融通グループに分類された１以上の蓄電装置を放電させるための情報を出力し、
前記被電力融通グループが前記電力融通において電力を受けるように、前記複数の蓄電装置のうち前記被電力融通グループに分類された１以上の蓄電装置を充電させるための情報を出力し、
前記逆潮流制御グループが前記逆潮流電力に対応する電力を吸収するように、前記複数の蓄電装置のうち前記逆潮流制御グループに分類された１以上の蓄電装置を充電させるための情報を出力する
請求項１〜９のいずれか１項に記載の逆潮流制御システム。
【請求項１１】
共通の受電点を介して電力系統に電気的に接続される複数の蓄電装置に含まれる蓄電装置であって、
蓄電池と、
前記蓄電池を充電または放電させる制御部とを備え、
前記蓄電装置は、（ｉ）前記複数の蓄電装置の間の電力融通において電力を与える電力融通グループと、（ｉｉ）前記電力融通において電力を受ける被電力融通グループと、（ｉｉｉ）前記共通の受電点を越えて前記電力系統へ流出する逆潮流電力に対応する電力を吸収する逆潮流制御グループとの３つのグループを含む複数のグループのうちのいずれかに分類され、
前記制御部は、前記蓄電装置が前記３つのグループのうちのいずれかに分類された場合に前記蓄電装置が分類されたグループに従って前記蓄電装置が充電または放電するように、前記蓄電池を充電または放電させる
蓄電装置。
【請求項１２】
共通の受電点を介して電力系統に電気的に接続される複数の蓄電装置の間の電力融通において前記複数の蓄電装置のそれぞれが電力を与えるまたは受ける要求に関する要求情報を取得する取得ステップと、
前記要求情報に従って、前記複数の蓄電装置を（ｉ）前記電力融通において電力を与える電力融通グループと、（ｉｉ）前記電力融通において電力を受ける被電力融通グループと、（ｉｉｉ）前記共通の受電点を越えて前記電力系統へ流出する逆潮流電力に対応する電力を吸収する逆潮流制御グループとの３つのグループを含む複数のグループに分類する分類ステップと、
前記複数の蓄電装置のそれぞれについて、当該蓄電装置が前記３つのグループのうちのいずれかに分類された場合に当該蓄電装置が分類されたグループに従って当該蓄電装置を充電または放電させるための情報を出力する制御ステップとを含む
逆潮流制御方法。
【請求項１３】
請求項１２に記載の逆潮流制御方法をコンピュータに実行させるためのプログラム。
【発明の詳細な説明】
【技術分野】
【０００１】
本発明は、逆潮流を制御する逆潮流制御システム等に関する。
【背景技術】
【０００２】
従来、電力融通に関する技術が提案されている。例えば、特許文献１に記載の出力制御システムは、その一例である。この出力制御システムは、商用電力系統に連系する複数の分散電源と、管理装置とを備える。管理装置は、一の分散電源の充電許容量が他の分散電源の出力電力値以上である場合に、一の分散電源が他の分散電源によって逆潮流された電力を受電するよう、一の分散電源に受電開始指令を、他の分散電源に逆潮流開始指令を送る。これにより、電力の有効活用が図られる。
【先行技術文献】
【特許文献】
【０００３】
【特許文献１】特開２０１２−１２０２８４号公報
【発明の概要】
【発明が解決しようとする課題】
【０００４】
しかしながら、複数の蓄電装置が電力系統へ電力を流出させずに複数の蓄電装置の間で電力融通を行うことは容易ではない。【０００５】
例えば、電力融通において蓄電装置が与えるまたは受ける電力の量は、蓄電装置を有する需要家の施設における発電電力または消費電力の変動の影響を受けて、予定量から変動する場合がある。そして、蓄電装置が与える電力の量が、他の蓄電装置が受ける電力の量を超え、電力系統へ電力が流出する場合がある。そして、このような電力の流出が、電力系統の効率的な運転を阻害する可能性がある。【０００６】
そこで、本発明は、複数の蓄電装置の間の電力融通において電力系統へ流出する電力を適切に抑制することができる逆潮流制御システムを提供することを目的とする。
【課題を解決するための手段】
【０００７】
上記目的を達成するため、本発明の一態様に係る逆潮流制御システムは、共通の受電点を介して電力系統に電気的に接続される複数の蓄電装置の間の電力融通において前記複数の蓄電装置のそれぞれが電力を与えるまたは受ける要求に関する要求情報を取得する取得部と、前記要求情報に従って、前記複数の蓄電装置を（ｉ）前記電力融通において電力を与える電力融通グループと、（ｉｉ）前記電力融通において電力を受ける被電力融通グループと、（ｉｉｉ）前記共通の受電点を越えて前記電力系統へ流出する逆潮流電力に対応する電力を吸収する逆潮流制御グループとの３つのグループを含む複数のグループに分類する分類部と、前記複数の蓄電装置のそれぞれについて、当該蓄電装置が前記３つのグループのうちのいずれかに分類された場合に当該蓄電装置が分類されたグループに従って当該蓄電装置を充電または放電させるための情報を出力する制御部とを備える。【０００８】
また、本発明の一態様に係る蓄電装置は、共通の受電点を介して電力系統に電気的に接続される複数の蓄電装置に含まれる蓄電装置であって、蓄電池と、前記蓄電池を充電または放電させる制御部とを備え、前記蓄電装置は、（ｉ）前記複数の蓄電装置の間の電力融通において電力を与える電力融通グループと、（ｉｉ）前記電力融通において電力を受ける被電力融通グループと、（ｉｉｉ）前記共通の受電点を越えて前記電力系統へ流出する逆潮流電力に対応する電力を吸収する逆潮流制御グループとの３つのグループを含む複数のグループのうちのいずれかに分類され、前記制御部は、前記蓄電装置が前記３つのグループのうちのいずれかに分類された場合に前記蓄電装置が分類されたグループに従って前記蓄電装置が充電または放電するように、前記蓄電池を充電または放電させる。【０００９】
また、本発明の一態様に係る逆潮流制御方法は、共通の受電点を介して電力系統に電気的に接続される複数の蓄電装置の間の電力融通において前記複数の蓄電装置のそれぞれが電力を与えるまたは受ける要求に関する要求情報を取得する取得ステップと、前記要求情報に従って、前記複数の蓄電装置を（ｉ）前記電力融通において電力を与える電力融通グループと、（ｉｉ）前記電力融通において電力を受ける被電力融通グループと、（ｉｉｉ）前記共通の受電点を越えて前記電力系統へ流出する逆潮流電力に対応する電力を吸収する逆潮流制御グループとの３つのグループを含む複数のグループに分類する分類ステップと、前記複数の蓄電装置のそれぞれについて、当該蓄電装置が前記３つのグループのうちのいずれかに分類された場合に当該蓄電装置が分類されたグループに従って当該蓄電装置を充電または放電させるための情報を出力する制御ステップとを含む。
【発明の効果】
【００１０】
本発明の一態様に係る逆潮流制御システム等は、複数の蓄電装置の間の電力融通において電力系統へ流出する電力を適切に抑制することができる。
【図面の簡単な説明】
【００１１】
【図１】図１は、実施の形態における電力制御システムの構成を示すブロック図である。
【図２】図２は、実施の形態における逆潮流制御システムの構成を示すブロック図である。
【図３】図３は、実施の形態における逆潮流制御システムの動作を示すフローチャートである。
【図４】図４は、実施の形態における逆潮流制御システムの動作の第１具体例を示すフローチャートである。
【図５】図５は、実施の形態における逆潮流制御システムの動作の第２具体例を示すフローチャートである。
【図６】図６は、実施の形態における蓄電装置の構成を示すブロック図である。
【図７】図７は、実施の形態における蓄電装置の制御部の構成を示すブロック図である。
【図８】図８は、実施の形態における複数のグループを示す概念図である。
【図９】図９は、実施の形態における蓄電装置が逆潮流を検出する構成例を示す概念図である。
【発明を実施するための形態】
【００１２】
以下、本発明の実施の形態について、図面を用いて詳細に説明する。なお、以下で説明する実施の形態は、いずれも包括的または具体的な例を示す。以下の実施の形態で示される数値、形状、材料、構成要素、構成要素の配置位置および接続形態、動作の順序等は、一例であり、本発明を限定する主旨ではない。また、以下の実施の形態における構成要素のうち、最上位概念を示す独立請求項に記載されていない構成要素は、任意の構成要素として説明される。
【００１３】
また、以下において、電力は、電力の量（値）を意味する場合がある。また、充放電は、充電および放電の少なくとも一方に対応する。
【００１４】
（実施の形態）
本実施の形態において、逆潮流を制御する逆潮流制御システムについて説明する。ここでは、集合住宅または地域単位での一括受電が想定されているが、受電方式は一括受電に限定されない。
【００１５】
図１は、本実施の形態における逆潮流制御システムを含む電力制御システムの構成を示すブロック図である。図１に示されるように、本実施の形態における電力制御システム１００は、変圧器１０１と、電力線１０２と、複数の需要家設備１０４と、通信線１０６と、逆潮流制御システム２００とを備える。
【００１６】
変圧器１０１は、電力系統から供給される電力を各需要家設備１０４に供給するため、適切な電圧に変換する変圧器である。変圧器１０１は、例えば、集合住宅の高圧受電設備に対応する。なお、電力系統は、発電所で発生した電気を需要側に供給するためのシステムであり、例えば、電気事業者が運用する発電所、変電所および配電網等を含む。
【００１７】
電力線１０２は、電力系統と、複数の負荷１０５および複数の蓄電装置４００を含む複数の需要家設備１０４とを接続するための配電線に対応する。複数の負荷１０５、複数の蓄電装置４００、および、複数の需要家設備１０４は、電力線１０２を介して電力系統に接続される。例えば、電力線１０２によって、変圧器１０１と各需要家設備１０４とが電気的に接続され、変圧器１０１から各需要家設備１０４に電力が供給される。
【００１８】
需要家設備１０４は、需要家の施設（例えば、集合住宅の専有部、または、戸建住宅等）に設置された設備である。需要家設備１０４は、負荷１０５と、蓄電装置４００とを備える。需要家設備１０４が備えるこれらの構成要素も、需要家の施設に設置される。なお、複数の需要家が集合住宅単位または地域単位で１つの高圧需要家を構成してもよい。つまり、複数の需要家が１つの高圧需要家に統合されてもよい。
【００１９】
また、１つの需要家設備１０４は、複数の負荷１０５と、複数の蓄電装置４００とを備えてもよい。また、１つの需要家設備１０４は、１以上の負荷１０５および１以上の蓄電装置４００のうち、１以上の負荷１０５のみを備えていてもよいし、１以上の蓄電装置４００のみを備えてもよい。また、１つの需要家設備１０４は、１以上の負荷１０５および１以上の蓄電装置４００の他に、太陽光発電装置のような発電装置を備えてもよい。
【００２０】
負荷１０５は、需要家設備１０４において電力を消費する機器である。負荷１０５は、例えば、家庭用電気機器等である。上記の通り、需要家設備１０４は、複数の負荷１０５を備えてもよい。
【００２１】
蓄電装置４００は、充放電が可能な装置である。例えば、電力需要が少ない夜間に、蓄電装置４００は、電力系統から供給される電力で充電を行う。また、電力需要が多い昼間に、蓄電装置４００は、放電を行って、負荷１０５へ電力を供給する。蓄電装置４００は、逆潮流制御システム２００から取得した情報（指令）に基づいて充電または放電を行ってもよい。
【００２２】
また、複数の蓄電装置４００は、複数の蓄電装置４００の間で電力融通を行ってもよい。例えば、蓄電装置４００は、充電を行うことにより、電力融通において他の１以上の蓄電装置４００から電力を受けてもよい。また、蓄電装置４００は、放電を行うことにより、電力融通において他の１以上の蓄電装置４００へ電力を与えてもよい。また、蓄電装置４００は、電力融通に関する要求情報等を逆潮流制御システム２００に通知してもよい。
【００２３】
また、蓄電装置４００は、例えば、蓄電池、および、電力変換装置を含む充放電部等を備える。そして、例えば、電力変換装置は、蓄電池を充電させる際にＡＣ（交流）／ＤＣ（直流）変換を行う。また、例えば、電力変換装置は、蓄電池を放電させる際にＤＣ／ＡＣ変換を行う。
【００２４】
通信線１０６は、蓄電装置４００と逆潮流制御システム２００とが互いに通信するための通信線である。通信線１０６は、例えば、ＩＥＥＥ８０２．３規格等に適合する有線ＬＡＮ、ＩＥＥＥ８０２．１１ａ、ｂ、ｇ規格等に適合する無線ＬＡＮ、または、携帯電話回線のような公衆通信回線等により実現される。また、通信線１０６によって、逆潮流制御システム２００が受電点３００における電力の潮流（逆潮流）を示す情報を取得できてもよい。
【００２５】
受電点３００は、電力系統から複数の需要家が一括して電力を受ける位置に対応する。受電点３００は、複数の需要家設備１０４で共通の受電点であり、かつ、複数の蓄電装置４００で共通の受電点である。本実施の形態では、例えば電力系統の安定稼働を維持するため、受電点３００を越えて電力系統へ電力が流出することが制限される。例えば、スポットネットワーク配電線によって連系している集合住宅では逆潮流を流すことができず、逆潮流が生じる発電設備の連系が制限されている。
【００２６】
また、受電点３００は、複数の需要家で構成される需要家群に属する範囲と電力系統に属する範囲との間の責任分解点でもよい。また、受電点３００には、電力の潮流（逆潮流）を検出するための電力メータが設置されてもよい。そして、受電点３００に設置された電力メータは、スマートメータであってもよく、受電点３００における電力の潮流（逆潮流）を示す情報を逆潮流制御システム２００へ通知してもよい。
【００２７】
受電点１０３は、需要家設備１０４が外部から電力を受ける位置に対応する。本実施の形態では、受電点１０３を越えて需要家設備１０４から逆潮流を流すことが許容される。また、受電点１０３は、需要家に属する範囲と需要家に属しない範囲との間の責任分解点でもよい。また、例えば、受電点１０３には、需要家設備１０４へ流入する電力、および、需要家設備１０４から流出する電力を検出するための電力メータが設置されてもよい。
【００２８】
逆潮流制御システム２００は、逆潮流を制御するシステムである。具体的には、逆潮流制御システム２００は、複数の蓄電装置４００の間における電力融通を支援しつつ、受電点３００を越えて電力系統へ流す逆潮流を抑制する。
【００２９】
例えば、逆潮流制御システム２００は、複数の蓄電装置４００を電力融通グループ、被電力融通グループおよび逆潮流制御グループを含む複数のグループに分類する。電力融通グループは、電力融通において電力を与えるグループである。被電力融通グループは、電力融通において電力を受けるグループである。逆潮流制御グループは、受電点３００を越えて電力系統へ流出する逆潮流電力に対応する電力を吸収するグループである。
【００３０】
また、電力融通において蓄電装置４００が与える電力は、蓄電装置４００から他の１以上の蓄電装置４００へ出力される電力である。この電力は、需要家設備１０４における消費電力および発電電力の影響を受ける。例えば、消費電力の減少または発電電力の増加により、結果として、蓄電装置４００から出力される電力のうち他の１以上の蓄電装置４００へ出力される電力が大きくなり、電力融通において蓄電装置４００が与える電力が予定よりも大きくなる可能性がある。
【００３１】
また、電力融通において蓄電装置４００が受ける電力は、他の１以上の蓄電装置４００から蓄電装置４００へ入力される電力である。この電力も、需要家設備１０４における消費電力および発電電力の影響を受ける。例えば、消費電力の減少または発電電力の増加により、電力融通の途中で蓄電装置４００が満充電状態になり、電力融通において蓄電装置４００が受ける電力が予定よりも小さくなる可能性がある。
【００３２】
そして、電力融通において被電力融通グループ（被電力融通グループに属する１以上の蓄電装置４００）が受ける電力よりも電力融通グループ（電力融通グループに属する１以上の蓄電装置４００）が与える電力が大きい場合、逆潮流電力が発生する可能性がある。
【００３３】
逆潮流制御グループは、被電力融通グループが受ける電力よりも電力融通グループが与える電力が大きい場合における、電力融通グループが与える電力と被電力融通グループが受ける電力との差分を逆潮流電力として吸収してもよい。すなわち、逆潮流制御グループは、電力融通グループが与える電力のうち被電力融通グループが受ける電力を超える部分を逆潮流電力として吸収してもよい。また、逆潮流制御グループは、このような差分のうち受電点３００を越えて電力系統へ流出する逆潮流電力を吸収してもよい。
【００３４】
逆潮流制御システム２００は、蓄電装置４００が分類されたグループに従って、蓄電装置４００を充電または放電させるための情報（指令）を蓄電装置４００へ通知することにより、蓄電装置４００を充電または放電させる。
【００３５】
つまり、逆潮流制御システム２００は、蓄電装置４００が分類されたグループに従って、蓄電装置４００を充電または放電させるための情報を蓄電装置４００へ出力する。これにより、逆潮流制御システム２００は、蓄電装置４００が分類されたグループに従って、蓄電装置４００を充電または放電させる。なお、ここで、逆潮流制御システム２００が蓄電装置４００を充電または放電させるという表現は、逆潮流制御システム２００が蓄電装置４００を充電または放電させるための情報を出力することを意味する場合がある。
【００３６】
逆潮流制御システム２００は、電力融通グループが電力融通において電力を与えるように、電力融通グループに属する１以上の蓄電装置４００を放電させてもよい。また、逆潮流制御システム２００は、被電力融通グループが電力融通において電力を受けるように、被電力融通グループに属する１以上の蓄電装置４００を充電させてもよい。また、逆潮流制御システム２００は、逆潮流制御グループが逆潮流電力を吸収するように、逆潮流制御グループに属する１以上の蓄電装置４００を充電させてもよい。
【００３７】
例えば、逆潮流制御システム２００は、電力融通が行われる所定の時間帯よりも前に、電力融通グループが電力融通において与える電力の量である融通量、および、被電力融通グループが電力融通において受ける電力の量である被融通量を決定する。そして、逆潮流制御システム２００は、所定の時間帯において、決定された融通量に基づいて、電力融通グループに属する１以上の蓄電装置４００を放電させ、決定された被融通量に基づいて、被電力融通グループに属する１以上の蓄電装置４００を充電させる。
【００３８】
そして、逆潮流制御システム２００は、所定の時間帯において、逆潮流制御グループが逆潮流電力を吸収するように、逆潮流制御グループに属する１以上の蓄電装置４００を充電させる。例えば、逆潮流制御システム２００は、所定の時間帯（時間帯の時間長）よりも短い周期で、受電点３００を越えて電力系統へ流出する逆潮流電力を検出し、検出された逆潮流電力に従って、逆潮流制御グループに属する１以上の蓄電装置４００を充電させてもよい。
【００３９】
また、電力制御システム１００は、図１に示された複数の構成要素のうち、任意の１以上の構成要素のみを備えてもよい。例えば、電力制御システム１００は、図１に示された複数の構成要素のうち、逆潮流制御システム２００および複数の蓄電装置４００のみを備えてもよい。そして、電力制御システム１００とは別のシステムが、その他の構成要素を備えてもよい。
【００４０】
図２は、図１に示された逆潮流制御システム２００の構成を示すブロック図である。図２に示されるように、逆潮流制御システム２００は、取得部２０１と、分類部２０２と、制御部２０３とを備える。
【００４１】
取得部２０１は、要求情報を取得する取得器である。この要求情報は、複数の蓄電装置４００の間の電力融通に関する要求情報であって、電力融通において複数の蓄電装置４００のそれぞれが電力を与えるまたは受ける要求に関する情報である。要求情報は、１つの蓄電装置４００に対応していてもよいし、複数の蓄電装置４００に対応していてもよい。なお、要求は、予定、計画または希望でもよい。
【００４２】
要求情報は、電力融通において蓄電装置４００が電力を与える要求があることを示してもよい。また、要求情報は、電力融通において蓄電装置４００が電力を受ける要求があることを示してもよい。また、要求情報は、電力融通において蓄電装置４００が電力を与える要求がないこと、および、電力融通において蓄電装置４００が電力を受ける要求がないことを示してもよい。
【００４３】
例えば、電力融通において蓄電装置４００が電力を与えることは売電に対応し、電力融通において蓄電装置４００が電力を受けることは買電に対応する。すなわち、要求情報は、蓄電装置４００に関して、売電の要求があることを示してもよいし、買電の要求があることを示してもよいし、売電の要求も買電の要求もないことを示してもよい。
【００４４】
また、例えば、要求情報は、時間帯毎の情報であってもよい。つまり、要求情報は、電力融通において蓄電装置４００が時間帯毎に電力を与えるまたは受ける要求に関する情報であってもよい。
【００４５】
また、例えば、電力融通において蓄電装置４００が電力を与える要求がある場合、要求情報は、電力融通において蓄電装置４００が与える電力の要求量、および、電力融通において蓄電装置４００が電力を与える要求時間帯を示してもよい。また、電力融通において蓄電装置４００が電力を受ける要求がある場合、要求情報は、電力融通において蓄電装置４００が受ける電力の要求量、および、電力融通において蓄電装置４００が電力を受ける要求時間帯を示してもよい。
【００４６】
取得部２０１は、複数の蓄電装置４００のそれぞれから要求情報を取得してもよいし、複数の蓄電装置４００のそれぞれを有する需要家から要求情報を取得してもよい。例えば、取得部２０１は、蓄電装置４００、または、蓄電装置４００を有する需要家から、通信線１０６を介して要求情報を取得してもよい。
【００４７】
取得部２０１は、各蓄電装置４００または各需要家から要求情報に関連する情報を収集することにより、要求情報を取得してもよい。例えば、取得部２０１は、各蓄電装置４００の電池残量、過去の充電実績および過去の放電実績等の情報を収集し、収集された情報に基づいて電力融通に関する要求を予測することで要求情報を取得してもよい。
【００４８】
分類部２０２は、複数の蓄電装置４００を複数のグループに分類する分類器である。これらのグループは、上述の電力融通グループと被電力融通グループと逆潮流制御グループとを含む。
【００４９】
例えば、電力融通において蓄電装置４００が電力を与える要求（売電の要求）があることを要求情報が示す場合、分類部２０２は、蓄電装置４００を優先的に電力融通グループに分類してもよい。また、電力融通において蓄電装置４００が電力を受ける要求（買電の要求）があることを要求情報が示す場合、分類部２０２は、蓄電装置４００を優先的に被電力融通グループに分類してもよい。
【００５０】
そして、電力融通において蓄電装置４００が電力を与える要求がないこと、および、電力融通において蓄電装置４００が電力を受ける要求がないことを要求情報が示す場合、分類部２０２は、蓄電装置４００を優先的に逆潮流制御グループに分類してもよい。
【００５１】
また、電力融通において蓄電装置４００が与える電力の要求量が大きいほど、分類部２０２は、蓄電装置４００を優先的に電力融通グループに分類してもよい。電力融通において蓄電装置４００が受ける電力の要求量が大きいほど、分類部２０２は、蓄電装置４００を優先的に被電力融通グループに分類してもよい。そして、これらの要求量が小さいほど、分類部２０２は、蓄電装置４００を優先的に逆潮流制御グループに分類してもよい。
【００５２】
また、電力融通において蓄電装置４００が与える電力の単価が安いほど、分類部２０２は、蓄電装置４００を優先的に電力融通グループに分類してもよい。電力融通において蓄電装置４００が受ける電力の単価が高いほど、分類部２０２は、蓄電装置４００を優先的に被電力融通グループに分類してもよい。
【００５３】
また、分類部２０２は、複数の蓄電装置４００を複数のグループに分類することで、複数の需要家を複数のグループに分類してもよいし、複数の需要家設備１０４を複数のグループに分類してもよい。そして、分類部２０２は、蓄電装置４００を有していない需要家を被電力融通グループに分類してもよいし、蓄電装置４００を備えていない需要家設備１０４を被電力融通グループに分類してもよい。
【００５４】
また、分類部２０２は、受電点３００に近い蓄電装置４００を優先的に逆潮流制御グループに分類してもよい。例えば、第１蓄電装置４００と受電点３００との間の電力線１０２の長さが、第２蓄電装置４００と受電点３００との間の電力線１０２の長さよりも短い場合、第１蓄電装置４００が第２蓄電装置４００よりも優先して逆潮流制御グループに分類されてもよい。
【００５５】
また、分類部２０２は、被電力融通グループに属する１以上の蓄電装置４００の総容量よりも電力融通グループに属する１以上の蓄電装置４００の総容量が小さくなるように、複数の蓄電装置４００を複数のグループに分類してもよい。
【００５６】
制御部２０３は、複数の蓄電装置４００のそれぞれを充電または放電させる制御器である。制御部２０３は、蓄電装置４００が分類されたグループに従って、蓄電装置４００を充電または放電させるための情報（指令）を通知することにより、蓄電装置４００を充電または放電させる。
【００５７】
例えば、制御部２０３は、電力融通グループに属する蓄電装置４００について、要求量および要求時間帯を示す要求情報に従って、融通量および融通時間帯を決定する。ここで、融通量は、電力融通において蓄電装置４００が与える電力の量であり、融通時間帯は、電力融通において蓄電装置４００が電力を与える時間帯である。
【００５８】
そして、制御部２０３は、電力融通グループに属する蓄電装置４００に対して、融通量および融通時間帯を通知する。これにより、制御部２０３は、電力融通において電力融通グループに属する蓄電装置４００が電力を与えるように、電力融通グループに属する蓄電装置４００を放電させる。
【００５９】
また、例えば、制御部２０３は、被電力融通グループに属する蓄電装置４００について、要求量および要求時間帯を示す要求情報に従って、被融通量および被融通時間帯を決定する。ここで、被融通量は、電力融通において蓄電装置４００が受ける電力の量である。また、被融通時間帯は、電力融通において蓄電装置４００が電力を受ける時間帯である。
【００６０】
そして、制御部２０３は、被電力融通グループに属する蓄電装置４００に対して、被融通量および被融通時間帯を通知する。これにより、制御部２０３は、電力融通において被電力融通グループに属する蓄電装置４００が電力を受けるように、被電力融通グループに属する蓄電装置４００を充電させる。
【００６１】
また、例えば、制御部２０３は、逆潮流制御グループに属する蓄電装置４００へ、逆潮流電力を吸収する役割（つまり、逆潮流制御指示）を通知する。あるいは、制御部２０３は、逆潮流制御グループに属する蓄電装置４００へ、逆潮流電力の吸収量を通知する。これにより、制御部２０３は、逆潮流制御グループに属する蓄電装置４００が逆潮流電力を吸収するように、逆潮流制御グループに属する蓄電装置４００を充電させる。
【００６２】
また、例えば、制御部２０３は、逆潮流制御グループに属する１以上の蓄電装置４００の充電可能量に従って、電力融通グループに属する１以上の蓄電装置４００が与える電力の量を制限してもよい。また、制御部２０３は、逆潮流制御グループに属する１以上の蓄電装置４００の充電可能量に従って、被電力融通グループに属する１以上の蓄電装置４００が受ける電力の量を制限してもよい。
【００６３】
ここで、１以上の蓄電装置４００の充電可能量は、例えば、１以上の蓄電装置４００の総容量から１以上の蓄電装置４００の総電池残量を除いた量である。
【００６４】
図３は、図２に示された逆潮流制御システム２００の動作を示すフローチャートである。まず、取得部２０１は、電力融通に関する要求情報を取得する（Ｓ１０１）。例えば、要求情報は、複数の蓄電装置４００のそれぞれについて、電力融通において蓄電装置４００が電力を与えるまたは受ける要求があるか否かを示す。次に、分類部２０２は、要求情報に従って、複数の蓄電装置４００を複数のグループに分類する（Ｓ１０２）。
【００６５】
例えば、電力融通において蓄電装置４００が電力を与える要求があることを要求情報が示す場合、蓄電装置４００は電力融通グループに分類される。電力融通において蓄電装置４００が電力を受ける要求があることを要求情報が示す場合、蓄電装置４００は被電力融通グループに分類される。電力融通において蓄電装置４００が電力を与える要求がないことを要求情報が示し、かつ、電力融通において蓄電装置４００が電力を受ける要求がないことを要求情報が示す場合、蓄電装置４００は逆潮流制御グループに分類される。
【００６６】
次に、制御部２０３は、各蓄電装置４００の充放電をグループに従って制御する（Ｓ１０３）。つまり、制御部２０３は、蓄電装置４００が属するグループに従って、蓄電装置４００を充電または放電させる。
【００６７】
逆潮流制御システム２００は、時間帯毎に上記の動作（Ｓ１０１〜Ｓ１０３）を行う。これにより、分類部２０２は、時間帯毎に、複数の蓄電装置４００を複数のグループに分類する。そして、制御部２０３は、各時間帯において、蓄電装置４００が分類されたグループに従って蓄電装置４００を充電または放電させる。各時間帯の長さは、限定されず、例えば、３０分、１時間、３時間、６時間、１２時間または１日間等である。
【００６８】
なお、取得部２０１は、複数の時間帯に対応する要求情報であって、電力融通において複数の蓄電装置４００のそれぞれが時間帯毎に電力を与えるまたは受ける要求に関する要求情報を取得してもよい。例えば、取得部２０１は、電力融通において複数の蓄電装置４００のそれぞれが電力を与えるまたは受ける要求時間帯を示す要求情報を取得してもよい。分類部２０２は、このような要求情報に従って、時間帯毎に、複数の蓄電装置４００を複数のグループに分類してもよい。
【００６９】
この場合、逆潮流制御システム２００は、上記の一連の動作（Ｓ１０１〜Ｓ１０３）を時間帯毎に行わなくてもよい。つまり、逆潮流制御システム２００は、要求情報の取得（Ｓ１０１）、および、複数の蓄電装置４００の分類（Ｓ１０２）を複数の時間帯の前に行い、その後、時間帯毎に充放電の制御（Ｓ１０３）を行ってもよい。
【００７０】
図４は、図２に示された逆潮流制御システム２００の動作の第１具体例を示すフローチャートである。まず、取得部２０１は、電力融通に関する要求情報を取得する（Ｓ２０１）。次に、分類部２０２は、要求情報に従って、複数の蓄電装置４００を複数のグループに分類する（Ｓ２０２）。基本的に、これらの動作（Ｓ２０１およびＳ２０２）は、図３に示された動作（Ｓ１０１およびＳ１０２）と同じである。
【００７１】
本具体例において、要求情報は、さらに、融通要求量、融通要求時間帯、被融通要求量および被融通要求時間帯を示す。融通要求量は、蓄電装置４００が与える電力の要求量であり、融通要求時間帯は、蓄電装置４００が電力を与える要求時間帯である。被融通要求量は、蓄電装置４００が受ける電力の要求量であり、被融通要求時間帯は、蓄電装置４００が電力を受ける要求時間帯である。
【００７２】
制御部２０３は、要求情報に従って、融通量、融通時間帯、被融通量および被融通時間帯を決定（設定）する（Ｓ２０３）。融通量は、電力融通において蓄電装置４００が与える電力の量であり、融通時間帯は、電力融通において蓄電装置４００が電力を与える時間帯である。被融通量は、電力融通において蓄電装置４００が受ける電力の量であり、被融通時間帯は、電力融通において蓄電装置４００が電力を受ける時間帯である。
【００７３】
制御部２０３は、電力融通グループに属する１以上の蓄電装置４００のそれぞれに対して、融通量および融通時間帯を要求情報に従って決定する。また、制御部２０３は、被電力融通グループに属する１以上の蓄電装置４００のそれぞれに対して、被融通量および被融通時間帯を要求情報に従って決定する。
【００７４】
例えば、制御部２０３は、電力融通グループに属する１以上の蓄電装置４００の総融通要求量と、被電力融通グループに属する１以上の蓄電装置４００の総被融通要求量とを時間帯毎に比較する。そして、制御部２０３は、各時間帯の総融通量および総被融通量のそれぞれをその時間帯の総融通要求量および総被融通要求量のうち小さい方に一致させる。
【００７５】
そして、制御部２０３は、時間帯毎に、その時間帯と融通要求時間帯とが重なる１以上の蓄電装置４００に総融通量を融通要求量に従って按分することで融通量を決定する。これにより、制御部２０３は、電力融通グループに属する１以上の蓄電装置４００のそれぞれに対して、融通量および融通時間帯を決定する。
【００７６】
また、制御部２０３は、時間帯毎に、その時間帯と被融通時間帯とが重なる１以上の蓄電装置４００に総被融通量を被融通要求量に従って按分することで、被融通量を決定する。これにより、制御部２０３は、被電力融通グループに属する１以上の蓄電装置４００のそれぞれに対して、被融通量および被融通時間帯を決定する。
【００７７】
制御部２０３は、上記によって、融通要求量、融通要求時間帯、被融通要求量および被融通要求時間帯の範囲で、融通量、融通時間帯、被融通量および被融通時間帯を決定する。なお、制御部２０３は、融通要求量が大きい蓄電装置４００から順に、融通要求量を満たすように、融通量を決定してもよいし、被融通要求量が大きい蓄電装置４００から順に、被融通要求量を満たすように、被融通量を決定してもよい。
【００７８】
次に、制御部２０３は、融通量、融通時間帯、被融通量および被融通時間帯を通知する（Ｓ２０４）。具体的には、制御部２０３は、電力融通グループに属する１以上の蓄電装置４００のそれぞれに、融通量および融通時間帯を通知する。また、制御部２０３は、被電力融通グループに属する１以上の蓄電装置４００のそれぞれに、被融通量および被融通時間帯を通知する。
【００７９】
これにより、制御部２０３は、電力融通グループに属する１以上の蓄電装置４００のそれぞれを融通量および融通時間帯に従って放電させる。また、制御部２０３は、被電力融通グループに属する１以上の蓄電装置４００のそれぞれを被融通量および被融通時間帯に従って充電させる。その結果、電力融通グループに属する１以上の蓄電装置４００と、被電力融通グループに属する１以上の蓄電装置４００との間で、電力融通が行われる。
【００８０】
次に、制御部２０３は、電力融通が行われている時間帯において、受電点３００を越えて電力系統へ流出する逆潮流電力を検出する（Ｓ２０５）。例えば、制御部２０３は、受電点３００またはその付近に設置された電力センサを介して逆潮流電力を検出する。
【００８１】
次に、制御部２０３は、逆潮流制御グループに属する１以上の蓄電装置４００のそれぞれへ、逆潮流電力に対応する電力を吸収するための吸収量を通知する（Ｓ２０６）。ここで、吸収量は、逆潮流電力に対応する電力のうち、蓄電装置４００が吸収する電力の量である。吸収量は、逆潮流制御グループに属する１以上の蓄電装置４００に対して、逆潮流電力を等分することで定められてもよいし、蓄電装置４００の容量または充電可能量に従って逆潮流電力を按分することで定められてもよい。
【００８２】
制御部２０３は、電力融通が行われる時間帯（融通時間帯または被融通時間帯）よりも短い時間間隔で、逆潮流電力の検出（Ｓ２０５）、および、吸収量の通知（Ｓ２０６）を繰り返す。具体的には、この時間間隔は、例えば１秒である。制御部２０３は、逆潮流制御グループに属する各蓄電装置４００へ吸収量を通知することにより、逆潮流制御グループに属する各蓄電装置４００を吸収量に従って充電させる。その結果、逆潮流電力が逆潮流制御グループに吸収される。
【００８３】
すなわち、制御部２０３は、電力融通グループに属する蓄電装置４００へ放電のための情報（指令）を通知する頻度よりも高い頻度で逆潮流制御グループに属する蓄電装置４００へ充電のための情報（指令）を通知してもよい。また、制御部２０３は、被電力融通グループに属する蓄電装置４００へ充電のための情報（指令）を通知する頻度よりも高い頻度で逆潮流制御グループに属する蓄電装置４００へ充電のための情報（指令）を通知してもよい。
【００８４】
図５は、図２に示された逆潮流制御システム２００の動作の第２具体例を示すフローチャートである。まず、取得部２０１は、電力融通に関する要求情報を取得する（Ｓ３０１）。次に、分類部２０２は、要求情報に従って、複数の蓄電装置４００を複数のグループに分類する（Ｓ３０２）。次に、制御部２０３は、要求情報に従って、融通量、融通時間帯、被融通量および被融通時間帯を決定する（Ｓ３０３）。制御部２０３は、融通量、融通時間帯、被融通量および被融通時間帯を通知する（Ｓ３０４）。
【００８５】
上記の動作（Ｓ３０１、Ｓ３０２、Ｓ３０３およびＳ３０４）は、基本的に、図４に示された動作（Ｓ２０１、Ｓ２０２、Ｓ２０３およびＳ２０４）と同じである。
【００８６】
次に、制御部２０３は、逆潮流制御グループに属する１以上の蓄電装置４００へ、逆潮流電力を吸収する役割を通知する（Ｓ３０５）。すなわち、制御部２０３は、電力融通が行われる時間帯において吸収量を通知せず、逆潮流制御グループに分類された蓄電装置４００が自立的に逆潮流電力の検出、吸収量の算出、および、充電を実行する。その結果、逆潮流電力が逆潮流制御グループに吸収される。
【００８７】
図６は、図１に示された蓄電装置４００の構成を示すブロック図である。図６に示されるように、蓄電装置４００は、制御部４１０と蓄電池４２０とを備える。
【００８８】
制御部４１０は、蓄電池４２０を充電または放電させる制御器である。蓄電装置４００で行われる情報処理および電力制御は、基本的に、制御部４１０によって行われる。
【００８９】
例えば、制御部４１０は、逆潮流制御システム２００が行う制御に従って、蓄電池４２０を充電または放電させる。具体的には、蓄電装置４００は、上述の電力融通グループと被電力融通グループと逆潮流制御グループとを含む複数のグループのうちのいずれかに分類される。制御部４１０は、蓄電装置４００が分類されたグループに従って充電または放電するように、蓄電池４２０を充電または放電させる。
【００９０】
蓄電池４２０は、例えば、充放電が可能な二次電池、および、電力変換装置で構成される。蓄電池４２０は、コンバータを含んでもよい。蓄電池４２０は、制御部４１０が行う制御に従って、充電または放電する。
【００９１】
図７は、図６に示された蓄電装置４００の制御部４１０の構成を示すブロック図である。図７に示されるように、制御部４１０は、計画作成部４１１、取得部４１２および指令部４１３を備える。
【００９２】
計画作成部４１１は、蓄電装置４００の運転計画を作成する作成器である。運転計画には、充電量、充電時間帯、放電量および放電時間帯等が含まれる。例えば、計画作成部４１１は、蓄電池４２０の容量、電池残量、過去の充電実績および過去の放電実績等に基づいて、運転計画を作成する。なお、蓄電装置４００または制御部４１０は、蓄電池４２０の電池残量等を検出する検出部を備えてもよいし、過去の充電実績および過去の放電実績等を記憶するための記憶部を備えてもよい。
【００９３】
計画作成部４１１は、電力融通において蓄電装置４００が電力を与えるまたは受ける要求があるか否かを判定してもよい。そして、計画作成部４１１は、要求の判定において、融通要求量、融通要求時間帯、被融通要求量および被融通要求時間帯等を決定してもよい。計画作成部４１１は、需要家の指示に基づいて、要求の判定（決定）を行ってもよいし、蓄電池４２０の電池残量、過去の充電実績および過去の放電実績等に基づいて、要求の判定（決定）を行ってもよい。
【００９４】
例えば、計画作成部４１１は、蓄電池４２０の電池残量が空状態に到達すると見込まれる場合、電力融通において蓄電装置４００が電力を受ける要求があると判定してもよい。そして、計画作成部４１１は、蓄電池４２０の電池残量が空状態に到達する時間、蓄電池４２０の容量、過去の充電実績および過去の放電実績等に基づいて、被融通要求量および被融通要求時間帯を決定してもよい。
【００９５】
また、例えば、計画作成部４１１は、蓄電池４２０の電池残量が満充電状態に到達すると見込まれる場合、電力融通において蓄電装置４００が電力を与える要求があると判定してもよい。そして、計画作成部４１１は、蓄電池４２０の電池残量が満充電状態に到達する時間、蓄電池４２０の容量、過去の充電実績および過去の放電実績等に基づいて、融通要求量および融通要求時間帯を決定してもよい。
【００９６】
そして、例えば、電力融通において蓄電装置４００が電力を与えるまたは受ける要求がある場合、計画作成部４１１は、電力融通において蓄電装置４００が電力を与えるまたは受ける要求があることを示す要求情報を逆潮流制御システム２００へ通知する。電力融通において蓄電装置４００が電力を与えるまたは受ける要求がない場合、計画作成部４１１は、電力融通において蓄電装置４００が電力を与えるまたは受ける要求がないことを示す要求情報を逆潮流制御システム２００へ通知してもよい。また、蓄電装置４００が電力を与えるまたは受ける要求がない場合は、要求情報を通知しないようにしてもよい。
【００９７】
電力融通において蓄電装置４００が電力を与える要求がある場合、計画作成部４１１が通知する要求情報は、さらに、融通要求量および融通要求時間帯を示してもよい。電力融通において蓄電装置４００が電力を受ける要求がある場合、計画作成部４１１が通知する要求情報は、さらに、被融通要求量および被融通要求時間帯を示してもよい。
【００９８】
また、計画作成部４１１は、逆潮流制御システム２００から取得部４１２を介して、融通量、融通時間帯、被融通量、被融通時間帯または役割（逆潮流制御指示）等を取得する。
【００９９】
例えば、蓄電装置４００が電力融通グループに分類された場合、計画作成部４１１は、融通量および融通時間帯を取得する。また、蓄電装置４００が被電力融通グループに分類された場合、計画作成部４１１は、被融通量および被融通時間帯を取得する。また、蓄電装置４００が被電力融通グループに分類された場合、計画作成部４１１は、被融通量および被融通時間帯を取得する。また、蓄電装置４００が逆潮流制御グループに分類された場合、計画作成部４１１は、役割（逆潮流制御指示）等を取得する。
【０１００】
計画作成部４１１は、逆潮流制御システム２００から取得部４１２を介して取得された融通量、融通時間帯、被融通量、被融通時間帯または役割等を運転計画に反映させる。つまり、計画作成部４１１は、融通量、融通時間帯、被融通量または被融通時間帯等に従って、運転計画における充電量、充電時間帯、放電量および放電時間帯等を調整する。計画作成部４１１は、逆潮流制御の役割等を運転計画に追加してもよい。そして、計画作成部４１１は、運転計画を指令部４１３に通知する。
【０１０１】
取得部４１２は、情報を取得する取得器である。取得部４１２は、逆潮流制御システム２００から融通量、融通時間帯、被融通量、被融通時間帯または役割（逆潮流制御指示）等を取得し、融通量、融通時間帯、被融通量、被融通時間帯または役割（逆潮流制御指示）等を計画作成部４１１に通知する。取得部４１２は、融通量、融通時間帯、被融通量、被融通時間帯または役割（逆潮流制御指示）等を指令部４１３に通知してもよい。
【０１０２】
また、取得部４１２は、蓄電装置４００に対応する受電点１０３の潮流（逆潮流）を示す情報を取得し、取得した情報を指令部４１３に通知してもよい。また、取得部４１２は、受電点３００の潮流（逆潮流）を示す情報を取得し、取得した情報を指令部４１３に通知してもよい。具体的には、取得部４１２は、逆潮流電力を示す情報を取得し、逆潮流電力を示す情報を指令部４１３に通知してもよい。
【０１０３】
また、蓄電装置４００が逆潮流制御グループに分類された場合、取得部４１２は、吸収量を取得し、吸収量を指令部４１３に通知してもよい。
【０１０４】
指令部４１３は、蓄電池４２０へ充放電指令を通知する指令器である。ここで、充放電指令は、蓄電池４２０を充電させる場合の充電量、または、蓄電池４２０を放電させる場合の放電量を示す。例えば、計画作成部４１１から運転計画を取得し、運転計画に従って充放電指令を生成する。指令部４１３は、運転計画によらず、融通量、融通時間帯、被融通量、被融通時間帯または役割（逆潮流制御指示）等を取得部４１２から取得し、融通量、融通時間帯、被融通量、被融通時間帯または役割等に従って充放電指令を生成してもよい。
【０１０５】
例えば、指令部４１３は、融通時間帯において、融通量が大きいほど、充放電指令における放電量を大きくしてもよい。また、指令部４１３は、被融通時間帯において、被融通量が大きいほど、充放電指令における充電量を大きくしてもよい。
【０１０６】
また、指令部４１３は、蓄電装置４００に対応する受電点１０３の潮流（逆潮流）を示す情報を取得部４１２から取得し、その情報を充放電指令に反映させてもよい。例えば、指令部４１３は、受電点１０３の潮流（逆潮流）の変化に従って、充放電指令における充電量または放電量を変化させてもよい。
【０１０７】
また、指令部４１３は、受電点３００の潮流（逆潮流）を示す情報を取得部４１２から取得し、その情報を充放電指令に反映させてもよい。例えば、指令部４１３は、取得部４１２等を介して逆潮流制御の役割を取得している場合、逆潮流電力を示す情報を取得部４１２から取得してもよい。そして、指令部４１３は、逆潮流電力が大きいほど、充放電指令における充電量を大きくしてもよい。
【０１０８】
また、蓄電装置４００が逆潮流制御グループに分類された場合、指令部４１３は、取得部４１２を介して吸収量を取得してもよい。そして、指令部４１３は、吸収量が大きいほど、充放電指令における充電量を大きくしてもよい。
【０１０９】
なお、図７は、制御部４１０の構成の一例を示す。制御部４１０の構成は、図７に示された例に限られない。制御部４１０は、蓄電池４２０を充電または放電させるため、蓄電装置４００で行われる他の情報処理を行ってもよいし、蓄電装置４００で行われる他の電力制御を行ってもよい。また、制御部４１０ではなく蓄電装置４００が図７に示された構成要素を備えてもよい。つまり、蓄電装置４００が制御部４１０の外部に図７に示された構成要素を備えてもよい。
【０１１０】
図８は、図１に示された逆潮流制御システム２００によって複数の蓄電装置４００が分類された複数のグループを示す概念図である。図８の例では、複数の蓄電装置４００が、電力融通グループと被電力融通グループと逆潮流制御グループとの３つのグループに分類されている。
【０１１１】
なお、図８の例では、便宜上、距離が互いに近い複数の蓄電装置４００が同じグループに分類されているが、距離が互いに近い複数の蓄電装置４００が同じグループに分類されなくてもよい。つまり、距離が互いに遠い複数の蓄電装置４００が同じグループに分類されてもよい。
【０１１２】
また、図８の例では、受電点３００に近い蓄電装置４００が逆潮流制御グループに分類されている。これにより、効率的に逆潮流電力が逆潮流制御グループに吸収される。しかしながら、受電点３００に近い蓄電装置４００が逆潮流制御グループに分類されなくてもよい。例えば、受電点３００に近い蓄電装置４００に関して、電力融通の被融通量が大きい場合、受電点３００に遠い蓄電装置４００が逆潮流制御グループに分類されてもよい。
【０１１３】
また、逆潮流制御グループに分類された蓄電装置４００が逆潮流電力を検出することができる場合、逆潮流制御グループに分類された蓄電装置４００が自立的に逆潮流電力に従って充電を行ってもよい。これにより、逆潮流電力が逆潮流制御グループに吸収される。
【０１１４】
また、逆潮流制御グループに分類された蓄電装置４００が逆潮流電力を検出することができない場合、逆潮流制御システム２００が逆潮流電力を検出し、検出した逆潮流電力に従って、蓄電装置４００に充電を実行させてもよい。これにより、逆潮流電力が逆潮流制御グループに吸収される。
【０１１５】
図９は、図８に示された逆潮流制御グループに分類された蓄電装置４００が逆潮流電力を検出する構成例を示す概念図である。図９の例では、受電点３００と、逆潮流制御グループに分類された蓄電装置４００との間の通信線１０７によって、逆潮流制御グループに分類された蓄電装置４００が受電点３００における電力の潮流（逆潮流）を示す情報を取得することができる。すなわち、逆潮流制御グループに分類された蓄電装置４００が逆潮流電力を検出することができる。
【０１１６】
なお、図９は、逆潮流制御グループに分類された蓄電装置４００が逆潮流電力を検出する構成の一例を示す。逆潮流制御グループに分類された蓄電装置４００が逆潮流電力を検出する構成は、図９の例に限られない。例えば、逆潮流制御グループに分類された蓄電装置４００は、図８に示された通信線１０６を介して、逆潮流電力を検出してもよい。
【０１１７】
上記の実施の形態において、逆潮流制御システム２００は、複数のグループに複数の蓄電装置４００を分類している。しかし、逆潮流制御システム２００は、電力融通グループ、被電力融通グループおよび逆潮流制御グループを含む複数のグループに複数の機器を複数の蓄電装置４００と同様に分類してもよい。分類される複数の機器には、１以上の蓄電装置４００を含んでもよいし、１以上の負荷１０５を含んでもよいし、１以上の分散電源（太陽光発電装置等）を含んでもよい。
【０１１８】
また、上記の実施の形態において、逆潮流制御システム２００は、受電点３００を越えて電力系統へ流出する逆潮流電力が発生した場合、逆潮流制御グループに属する１以上の蓄電装置４００を充電させることにより、逆潮流電力を抑制している。しかしながら、逆潮流制御システム２００は、受電点３００を介して電力系統から流入する順潮流電力が発生した場合、逆潮流制御グループに属する１以上の蓄電装置４００を放電させることにより、順潮流電力を抑制することも可能である。これにより、蓄電装置４００の電力が有効に利用される。
【０１１９】
また、例えば、逆潮流制御システム２００の制御部２０３は、逆潮流制御グループに属する蓄電装置４００の充電量の変動周期を他のグループに属する蓄電装置４００の充電量または放電量の変動周期よりも短くする。これにより、逆潮流電力が適切に吸収される。
【０１２０】
また、例えば、逆潮流制御システム２００の制御部２０３は、逆潮流制御グループに属する１以上の蓄電装置４００の充電可能量に従って、電力融通グループに属する１以上の蓄電装置４００の総融通量を制限する。具体的には、制御部２０３は、充電可能量に所定の安全率を掛け合わせることで得られる閾値よりも総融通量を小さくしてもよい。あるいは、制御部２０３は、以下の式を満たすように、充電可能量に従って総融通量を制限してもよい。
【０１２１】
充電可能量＞総融通量×インバランス率＋α
【０１２２】
ここで、インバランス率は、総融通量に対し、電力融通グループに属する１以上の蓄電装置４００が与える電力と、被電力融通グループに属する１以上の蓄電装置４００が受ける電力とのバランスがどの程度崩れるかを統計的に表す係数である。αは、所定のオフセット値である。
【０１２３】
また、例えば、逆潮流制御システム２００の制御部２０３は、逆潮流制御グループに属する１以上の蓄電装置４００の充電可能量に従って、被電力融通グループに属する１以上の蓄電装置４００の総被融通量を総融通量と同様に制限する。
【０１２４】
また、例えば、逆潮流制御システム２００の制御部２０３は、過去の電力融通において予定された融通量または被融通量を満たさなかった蓄電装置４００に対して、新たに予定される融通量または被融通量を制限してもよい。
【０１２５】
その際、予定された融通量または被融通量が満たされない回数が多いほど、新たに予定される融通量または被融通量が制限されてもよい。また、予定された融通量と実際の融通量との乖離、または、予定された被融通量と実際の被融通量との乖離が大きいほど、新たに予定される融通量または被融通量が制限されてもよい。
【０１２６】
逆潮流制御システム２００の制御部２０３は、受電点１０３に設置された電力メータから受電点１０３の潮流（逆潮流）を示す情報を取得し、受電点１０３の潮流（逆潮流）の変化等に従って、予定された融通量または被融通量が満たされたか否かを判定してもよい。
【０１２７】
また、例えば、電力融通において電力を与えることを要求する蓄電装置４００が存在せず、電力融通において電力を受けることを要求する蓄電装置４００が存在しない場合、分類部２０２は、複数の蓄電装置４００を分類しなくてもよい。そして、制御部２０３は、電力融通のための充電または放電を複数の蓄電装置４００に行わせなくてもよい。
【０１２８】
また、例えば、逆潮流制御システム２００の制御部２０３は、電力融通において蓄電装置４００が与えたまたは受けた電力を電気料金に反映させてもよい。具体的には、制御部２０３は、電力融通において蓄電装置４００が与えた電力が大きいほど、電気料金を減少させてもよい。また、制御部２０３は、電力融通において蓄電装置４００が受けた電力が大きいほど、電気料金を増加させてもよい。
【０１２９】
つまり、制御部２０３は、電力融通において蓄電装置４００が与えた電力を売電として電気料金に反映させてもよい。また、制御部２０３は、電力融通において蓄電装置４００が受けた電力を買電として電気料金に反映させてもよい。
【０１３０】
また、例えば、逆潮流制御システム２００の分類部２０２は、複数の蓄電装置４００を４つ以上のグループに分類してもよい。例えば、電力融通において電力を与えることも受けることもせず、逆潮流電力も吸収しない独立グループが、複数のグループに含まれてもよい。そして、制御部２０３は、この独立グループに属する蓄電装置４００の充電および放電を制御しなくてもよい。
【０１３１】
以上、本発明に係る逆潮流制御システム２００について、実施の形態等に基づいて説明したが、本発明は、上記の実施の形態等に限定されない。上記の実施の形態等に対して当業者が思いつく変形を施して得られる形態、および、上記の実施の形態等における複数の構成要素を任意に組み合わせて実現される別の形態も本発明に含まれる。
【０１３２】
例えば、特定の構成要素が実行する処理を別の構成要素が実行してもよい。また、処理を実行する順番が変更されてもよいし、複数の処理が並行して実行されてもよい。また、逆潮流制御システム２００に含まれる複数の構成要素は、１つの装置に設けられてもよいし、複数の装置に分散して設けられてもよい。また、逆潮流制御システム２００が逆潮流制御装置と表現され、電力制御システム１００が逆潮流制御システムと表現されてもよい。
【０１３３】
また、本発明は、逆潮流制御システム２００として実現できるだけでなく、逆潮流制御システム２００を構成する各構成要素が行うステップ（処理）を含む方法として実現できる。
【０１３４】
例えば、それらのステップは、コンピュータ（コンピュータシステム）によって実行されてもよい。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【０１３５】
例えば、本発明が、プログラム（ソフトウェア）で実現される場合には、コンピュータのＣＰＵ、メモリおよび入出力回路等のハードウェア資源を利用してプログラムが実行されることによって、各ステップが実行される。つまり、ＣＰＵがデータをメモリまたは入出力回路等から取得して演算したり、演算結果をメモリまたは入出力回路等に出力したりすることによって、各ステップが実行される。
【０１３６】
また、逆潮流制御システム２００等に含まれる複数の構成要素は、それぞれ、専用または汎用の回路として実現されてもよい。これらの構成要素は、１つの回路として実現されてもよいし、複数の回路として実現されてもよい。
【０１３７】
また、逆潮流制御システム２００等に含まれる複数の構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。これらの構成要素は、個別に１チップ化されてもよいし、一部または全てを含むように１チップ化されてもよい。ＬＳＩは、集積度の違いにより、システムＬＳＩ、スーパーＬＳＩまたはウルトラＬＳＩと呼称される場合がある。
【０１３８】
また、集積回路はＬＳＩに限られず、専用回路または汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続および設定が再構成可能なリコンフィギュラブル・プロセッサが、利用されてもよい。
【０１３９】
さらに、半導体技術の進歩または派生する別技術によりＬＳＩに置き換わる集積回路化の技術が登場すれば、当然、その技術を用いて、逆潮流制御システム２００に含まれる複数の構成要素の集積回路化が行われてもよい。
【０１４０】
最後に、逆潮流制御システム２００等の複数の態様を例として示す。これらの態様は、適宜、組み合わされてもよい。また、上記の実施の形態等に示された任意の構成等が追加されてもよい。
【０１４１】
（第１態様）
本発明の一態様に係る逆潮流制御システム２００は、取得部２０１、分類部２０２および制御部２０３を備える。取得部２０１は、共通の受電点３００を介して電力系統に電気的に接続される複数の蓄電装置４００の間の電力融通において複数の蓄電装置４００のそれぞれが電力を与えるまたは受ける要求に関する要求情報を取得する。
【０１４２】
分類部２０２は、要求情報に従って、複数の蓄電装置４００を電力融通グループと被電力融通グループと逆潮流制御グループとの３つのグループを含む複数のグループに分類する。電力融通グループは、電力融通において電力を与えるグループである。被電力融通グループは、電力融通において電力を受ける被電力融通グループである。逆潮流制御グループは、共通の受電点３００を越えて電力系統へ流出する逆潮流電力に対応する電力を吸収するグループである。
【０１４３】
制御部２０３は、複数の蓄電装置４００のそれぞれについて、蓄電装置４００が３つのグループのうちのいずれかに分類された場合に蓄電装置４００が分類されたグループに従って蓄電装置４００を充電または放電させるための情報を出力する。
【０１４４】
これにより、逆潮流制御システム２００は、複数の蓄電装置４００の間の電力融通において電力系統へ流出する電力を適切に抑制することができる。
【０１４５】
（第２態様）
例えば、分類部２０２は、電力融通において蓄電装置４００が電力を与える要求があることを要求情報が示す場合、蓄電装置４００を優先的に電力融通グループに分類してもよい。また、分類部２０２は、電力融通において蓄電装置４００が電力を受ける要求があることを要求情報が示す場合、蓄電装置４００を優先的に被電力融通グループに分類してもよい。
【０１４６】
また、分類部２０２は、蓄電装置４００が電力融通において電力を与える要求がないこと、および、電力融通において蓄電装置４００が電力を受ける要求がないことを要求情報が示す場合、蓄電装置４００を優先的に逆潮流制御グループに分類する。
【０１４７】
これにより、逆潮流制御システム２００は、電力融通に関する要求に従って、適切に複数の蓄電装置４００を複数のグループに分類することができる。
【０１４８】
（第３態様）
例えば、複数の蓄電装置４００のうちの第１蓄電装置４００と共通の受電点３００との間の電力線１０２の長さが、複数の蓄電装置４００のうちの第２蓄電装置４００と共通の受電点３００との間の電力線１０２の長さよりも短くてもよい。この場合、分類部２０２は、第１蓄電装置４００を第２蓄電装置４００よりも優先して逆潮流制御グループに分類してもよい。これにより、逆潮流制御グループが逆潮流電力に対応する電力を効率的に吸収することができる。
【０１４９】
（第４態様）
例えば、要求情報は、電力融通において複数の蓄電装置４００のそれぞれが時間帯毎に電力を与えるまたは受ける要求に関していてもよい。そして、分類部２０２は、要求情報に従って、時間帯毎に複数の蓄電装置４００を複数のグループに分類してもよい。そして、制御部２０３は、時間帯毎に各蓄電装置４００について、その時間帯に蓄電装置４００が３つのグループのうちのいずれかに分類された場合にその時間帯に蓄電装置４００が分類されたグループに従って蓄電装置４００を充電または放電させてもよい。
【０１５０】
これにより、逆潮流制御システム２００は、複数の蓄電装置４００のそれぞれの動作を時間帯毎に変更することができる。
【０１５１】
（第５態様）
例えば、要求情報は、各蓄電装置４００について、電力融通において蓄電装置４００が電力を与える要求がある場合、電力融通において蓄電装置４００が与える電力の要求量、および、電力融通において蓄電装置４００が電力を与える要求時間帯を示してもよい。また、要求情報は、各蓄電装置４００について、電力融通において蓄電装置４００が電力を受ける要求がある場合、電力融通において蓄電装置４００が受ける電力の要求量、および、電力融通において蓄電装置４００が電力を受ける要求時間帯を示してもよい。
【０１５２】
そして、制御部２０３は、電力融通グループに分類された１以上の蓄電装置４００のそれぞれについて、融通量および融通時間帯を要求情報に従って決定し、融通量および融通時間帯を蓄電装置４００へ通知してもよい。ここで、融通量は、電力融通において蓄電装置４００が与える電力の量であり、融通時間帯は、電力融通において蓄電装置４００が電力を与える時間帯である。
【０１５３】
また、制御部２０３は、被電力融通グループに分類された１以上の蓄電装置４００のそれぞれについて、被融通量および被融通時間帯を要求情報に従って決定し、被融通量および被融通時間帯を蓄電装置４００へ通知してもよい。ここで、被融通量は、電力融通において蓄電装置４００が受ける電力の量であり、被融通時間帯は、電力融通において蓄電装置４００が電力を受ける時間帯である。
【０１５４】
これにより、逆潮流制御システム２００は、要求情報に従って、電力融通の適切な量および適切な時間帯を決定して各蓄電装置４００へ通知することができる。
【０１５５】
（第６態様）
例えば、制御部２０３は、逆潮流制御グループに分類された１以上の蓄電装置４００へ、逆潮流電力に対応する電力を吸収する役割を通知してもよい。
【０１５６】
これにより、逆潮流制御グループに分類された蓄電装置４００が、逆潮流電力に対応する電力を吸収する役割を認識することができ、逆潮流電力に対応する電力を吸収する動作を実行することができる。したがって、逆潮流制御システム２００は、逆潮流電力に対応する電力を吸収する動作を逆潮流制御グループに分類された蓄電装置４００に実行させることができる。
【０１５７】
（第７態様）
例えば、制御部２０３は、逆潮流制御グループに分類された１以上の蓄電装置４００のそれぞれへ、逆潮流電力に対応する電力のうち蓄電装置４００が吸収する電力の量である吸収量を通知してもよい。これにより、逆潮流制御グループに分類された蓄電装置４００は、吸収量を認識することができ、吸収量に従って充電を行うことができる。そして、これにより、逆潮流電力に対応する電力が適切に吸収される。
【０１５８】
（第８態様）
例えば、制御部２０３は、逆潮流制御グループに分類された１以上の蓄電装置４００の充電可能量に従って、電力融通グループに分類された１以上の蓄電装置４００が電力融通において与える電力の量を制限してもよい。また、制御部２０３は、逆潮流制御グループに分類された１以上の蓄電装置４００の充電可能量に従って、被電力融通グループに分類された１以上の蓄電装置４００が電力融通において受ける電力の量を制限してもよい。
【０１５９】
これにより、逆潮流制御グループで吸収可能な量に従って、電力融通の量が制限される。したがって、逆潮流制御システム２００は、電力系統へ流出する電力を適切に抑制することができる。
【０１６０】
（第９態様）
例えば、分類部２０２は、被電力融通グループに分類された１以上の蓄電装置４００の総容量よりも電力融通グループに分類された１以上の蓄電装置４００の総容量が小さくなるように、複数の蓄電装置４００を複数のグループに分類してもよい。
【０１６１】
これにより、電力融通グループが与えることが可能な電力の量よりも被電力融通グループが受けることが可能な電力の量が大きくなる可能性が高い。したがって、逆潮流制御システム２００は、電力系統へ流出する電力を適切に抑制することができる。
【０１６２】
（第１０態様）
例えば、制御部２０３は、電力融通グループが電力融通において電力を与えるように、電力融通グループに分類された１以上の蓄電装置４００を放電させるための情報を出力してもよい。また、制御部２０３は、被電力融通グループが電力融通において電力を受けるように、被電力融通グループに分類された１以上の蓄電装置４００を充電させるための情報を出力してもよい。また、制御部２０３は、逆潮流制御グループが逆潮流電力に対応する電力を吸収するように、逆潮流制御グループに分類された１以上の蓄電装置４００を充電させるための情報を出力してもよい。
【０１６３】
これにより、逆潮流制御システム２００は、各グループに従って、そのグループに属する１以上の蓄電装置４００を充電または放電させることができる。
【０１６４】
（第１１態様）
本発明の一態様に係る蓄電装置４００は、共通の受電点３００を介して電力系統に電気的に接続される複数の蓄電装置４００に含まれる蓄電装置４００であって、蓄電池４２０と、蓄電池４２０を充電または放電させる制御部４１０とを備える。蓄電装置４００は、電力融通グループと被電力融通グループと逆潮流制御グループとの３つのグループを含む複数のグループのうちのいずれかに分類される。
【０１６５】
電力融通グループは、複数の蓄電装置４００の間の電力融通において電力を与えるグループである。被電力融通グループは、電力融通において電力を受けるグループである。逆潮流制御グループは、共通の受電点３００を越えて電力系統へ流出する逆潮流電力に対応する電力を吸収するグループである。制御部４１０は、蓄電装置４００が３つのグループのうちのいずれかに分類された場合に蓄電装置４００が分類されたグループに従って蓄電装置４００が充電または放電するように、蓄電池４２０を充電または放電させる。
【０１６６】
これにより、蓄電装置４００は、複数の蓄電装置４００の間の電力融通において電力系統へ流出する電力を抑制するための支援を行うことができる。
【０１６７】
（第１２態様）
本発明の一態様に係る逆潮流制御方法は、取得ステップ（Ｓ１０１）と分類ステップ（Ｓ１０２）と制御ステップ（Ｓ１０３）とを含む。取得ステップ（Ｓ１０１）では、共通の受電点３００を介して電力系統に電気的に接続される複数の蓄電装置４００の間の電力融通において複数の蓄電装置４００のそれぞれが電力を与えるまたは受ける要求に関する要求情報を取得する。
【０１６８】
分類ステップ（Ｓ１０２）では、要求情報に従って、複数の蓄電装置４００を電力融通グループと被電力融通グループと逆潮流制御グループとの３つのグループを含む複数のグループに分類する。電力融通グループは、電力融通において電力を与えるグループである。被電力融通グループは、電力融通において電力を受けるグループである。逆潮流制御グループは、共通の受電点３００を越えて電力系統へ流出する逆潮流電力に対応する電力を吸収するグループである。
【０１６９】
制御ステップ（Ｓ１０３）では、複数の蓄電装置４００のそれぞれについて、蓄電装置４００が３つのグループのうちのいずれかに分類された場合に蓄電装置４００が分類されたグループに従って蓄電装置４００を充電または放電させるための情報を出力する。
【０１７０】
これにより、複数の蓄電装置４００の間の電力融通において電力系統へ流出する電力が適切に抑制される。
【０１７１】
（第１３態様）
本発明の一態様に係るプログラムは、上記の逆潮流制御方法をコンピュータに実行させるためのプログラムである。これにより、上記の逆潮流制御方法をコンピュータに実行させることが可能である。
【符号の説明】
【０１７２】
１０２  電力線
２００  逆潮流制御システム
２０１  取得部
２０２  分類部
２０３  制御部
３００  受電点
４００  蓄電装置
４１０  制御部
４２０  蓄電池
【図１】
0006650606.tif 000002
【図２】
0006650606.tif 000003
【図３】
0006650606.tif 000004
【図４】
0006650606.tif 000005
【図５】
0006650606.tif 000006
【図６】
0006650606.tif 000007
【図７】
0006650606.tif 000008
【図８】
0006650606.tif 000009
【図９】
0006650606.tif 000010